(57)【要約】【課題】第１通信システムでの通信から第２通信システムでの通信に移行する際に、第２通信システムの起動にかかる時間を短縮できる無線通信端末及び制御方法を提供すること。【解決手段】携帯電話機１は、ＬＴＥの通信システムで通信を行う場合、ＬＴＥの通信システムの起動に先立って、ＣＤＭＡの通信システムに同期してＣＤＭＡの通信システムのシステムタイムを取得する取得部３２と、ＬＴＥの通信システムのシステムタイムとＣＤＭＡの通信システムのシステムタイムとの差分を算出する算出部３３と、ＬＴＥの通信システムでの通信からＣＤＭＡの通信システムでの通信に移行する場合、ＬＴＥの通信システムのシステムタイムと算出された差分とにより、ＣＤＭＡの通信システムのシステムタイムを算出し、算出されたシステムタイムに基づいてＣＤＭＡの通信システムに同期する移行部３４と、を備える。【選択図】図２
2011259073.tif 000002
【特許請求の範囲】
【請求項１】
第１通信システム及び第２通信システムのいずれでも通信可能な無線端末装置であって、
前記第１通信システムで通信を行う場合、当該第１通信システムの起動に先立って、前記第２通信システムに同期して当該第２通信システムのシステムタイムを取得する取得部と、
前記第１通信システムのシステムタイムと前記取得部により取得された前記第２通信システムのシステムタイムとの差分を算出する算出部と、
前記第１通信システムでの通信から前記第２通信システムでの通信に移行する場合、当該第１通信システムのシステムタイムと前記算出部により算出された差分とにより、当該第２通信システムのシステムタイムを算出し、当該算出されたシステムタイムに基づいて当該第２通信システムに同期する移行部と、を備える無線端末装置。
【請求項２】
前記第１通信システム及び前記第２通信システムのシステムタイムは、各通信システム内において使用される基準時間情報である請求項１に記載の無線端末装置。
【請求項３】
前記移行部は、前記第１通信システムにおいて前記第２通信システムでの着信が報知された場合に、前記第２通信システムでの通信に移行する請求項１又は請求項２に記載の無線端末装置。
【請求項４】
前記第１通信システムにおいて前記第２通信システムでの着信が報知された際に、当該第２通信システムのシステムタイムが通知されたか否かを判定する判定部をさらに備え、
前記移行部は、前記第２通信システムのシステムタイムが通知された場合、当該通知されたシステムタイムに基づいて当該第２通信システムに同期し、前記第２通信システムのシステムタイムが通知されなかった場合、当該第２通信システムのシステムタイムを算出し、当該算出されたシステムタイムに基づいて当該第２通信システムに同期する請求項３に記載の無線端末装置。
【請求項５】
前記移行部は、前記着信が報知された場合に、前記第２通信システムにおけるオーバーヘッドメッセージを取得できたとき、当該第２通信システムでの通信に移行し、取得できなかったとき、移行先の第２通信システムをサーチする請求項３又は請求項４に記載の無線端末装置。
【請求項６】
前記取得部は、電源起動時に前記第２通信システムと同期しつつ、当該第２通信システムのシステムタイムを取得する請求項１から請求項５のいずれか１項に記載の無線端末装置。
【請求項７】
前記取得部は、前記第１通信システムのハンドオフが生じた場合、当該第１通信システムをサスペンドした後、第２通信システムをサーチする請求項１から請求項６のいずれか１項に記載の無線端末装置。
【請求項８】
前記取得部は、前記第２通信システムの基地局から報知される同期用のメッセージに基づいて、当該第２通信システムのシステムタイムを算出する請求項１から請求項７のいずれか１項に記載の無線端末装置。
【請求項９】
前記第１通信システムはＬＴＥ方式であり、前記第２通信システムはＣＤＭＡ方式である請求項１から請求項８のいずれか１項に記載の無線端末装置。
【請求項１０】
第１通信システム及び第２通信システムのいずれでも通信可能な無線端末装置の制御方法であって、
前記第１通信システムで通信を行う場合、当該第１通信システムの起動に先立って、前記第２通信システムに同期して当該第２通信システムのシステムタイムを取得する取得ステップと、
前記第１通信システムを起動すると、当該第１通信システムのシステムタイムと前記取得ステップにおいて取得された前記第２通信システムのシステムタイムとの差分を算出する算出ステップと、
前記第１通信システムでの通信から前記第２通信システムでの通信に移行する場合、当該第１通信システムのシステムタイムと前記算出ステップにおいて算出された差分とにより、当該第２通信システムのシステムタイムを算出し、当該算出されたシステムタイムに基づいて当該第２通信システムに同期する移行ステップと、を含む制御方法。
【発明の詳細な説明】
【技術分野】
【０００１】
本発明は、複数の通信システムと通信可能な無線端末装置及びその制御方法に関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【０００３】
ところが、無線端末装置では、ＬＴＥ方式の通信システムとＣＤＭＡ方式の通信システムとの双方を同時に利用することができない。そのため、携帯電話機は、ＬＴＥを利用中に、ＣＤＭＡのページングチャネルを取得できず、着信の有無を知ることができなかった。そこで、ＬＴＥでは、ＣＳ  Ｆａｌｌｂａｃｋ機能が規定され、この機能により、ＬＴＥでＣＤＭＡからの着信要求を通知することができる（例えば、特許文献１参照）。
【先行技術文献】
【特許文献】
【０００４】
【特許文献１】特開２００９−２６７９９６号公報
【発明の概要】
【発明が解決しようとする課題】
【０００５】
しかしながら、無線端末装置は、ＬＴＥでＣＤＭＡの着信信号を受信しても、通話を開始するためには、ＣＤＭＡを起動して対応する通信システムをサーチする必要があった。そのため、ユーザが実際に通話開始するまでに長時間を要していた。また、無線端末装置がＣＤＭＡの圏外にあると、着信処理の失敗を判定するまでにも長時間を要していた。
【０００６】
本発明は、第１通信システムでの通信から第２通信システムでの通信に移行する際に、第２通信システムの起動にかかる時間を短縮できる無線通信端末及び制御方法を提供することを目的とする。
【課題を解決するための手段】
【０００７】
本発明に係る無線端末装置は、第１通信システム及び第２通信システムのいずれでも通信可能な無線端末装置であって、前記第１通信システムで通信を行う場合、当該第１通信システムの起動に先立って、前記第２通信システムに同期して当該第２通信システムのシステムタイムを取得する取得部と、前記第１通信システムのシステムタイムと前記取得部により取得された前記第２通信システムのシステムタイムとの差分を算出する算出部と、前記第１通信システムでの通信から前記第２通信システムでの通信に移行する場合、当該第１通信システムのシステムタイムと前記算出部により算出された差分とにより、当該第２通信システムのシステムタイムを算出し、当該算出されたシステムタイムに基づいて当該第２通信システムに同期する移行部と、を備える。
【０００８】
また、前記第１通信システム及び前記第２通信システムのシステムタイムは、各通信システム内において使用される基準時間情報であることが好ましい。
【０００９】
また、前記移行部は、前記第１通信システムにおいて前記第２通信システムでの着信が報知された場合に、前記第２通信システムでの通信に移行することが好ましい。
【００１０】
また、本発明に係る無線端末装置は、前記第１通信システムにおいて前記第２通信システムでの着信が報知された際に、当該第２通信システムのシステムタイムが通知されたか否かを判定する判定部をさらに備え、前記移行部は、前記第２通信システムのシステムタイムが通知された場合、当該通知されたシステムタイムに基づいて当該第２通信システムに同期し、前記第２通信システムのシステムタイムが通知されなかった場合、当該第２通信システムのシステムタイムを算出し、当該算出されたシステムタイムに基づいて当該第２通信システムに同期することが好ましい。
【００１１】
また、前記移行部は、前記着信が報知された場合に、前記第２通信システムにおけるオーバーヘッドメッセージを取得できたとき、当該第２通信システムでの通信に移行し、取得できなかったとき、移行先の第２通信システムをサーチすることが好ましい。
【００１２】
また、前記取得部は、電源起動時に前記第２通信システムと同期しつつ、当該第２通信システムのシステムタイムを取得することが好ましい。
【００１３】
また、前記取得部は、前記第１通信システムのハンドオフが生じた場合、当該第１通信システムをサスペンドした後、第２通信システムをサーチすることが好ましい。
【００１４】
また、前記取得部は、前記第２通信システムの基地局から報知される同期用のメッセージに基づいて、当該第２通信システムのシステムタイムを算出することが好ましい。
【００１５】
また、前記第１通信システムはＬＴＥ方式であり、前記第２通信システムはＣＤＭＡ方式であることが好ましい。
【００１６】
本発明に係る制御方法は、第１通信システム及び第２通信システムのいずれでも通信可能な無線端末装置の制御方法であって、前記第１通信システムで通信を行う場合、当該第１通信システムの起動に先立って、前記第２通信システムに同期して当該第２通信システムのシステムタイムを取得する取得ステップと、前記第１通信システムを起動すると、当該第１通信システムのシステムタイムと前記取得ステップにおいて取得された前記第２通信システムのシステムタイムとの差分を算出する算出ステップと、前記第１通信システムでの通信から前記第２通信システムでの通信に移行する場合、当該第１通信システムのシステムタイムと前記算出ステップにおいて算出された差分とにより、当該第２通信システムのシステムタイムを算出し、当該算出されたシステムタイムに基づいて当該第２通信システムに同期する移行ステップと、を含む。
【発明の効果】
【００１７】
本発明によれば、無線端末装置において、第１通信システムでの通信から第２通信システムでの通信に移行する際に、第２通信システムの起動にかかる時間を短縮できる。
【図面の簡単な説明】
【００１８】
【図１】本発明の実施形態に係る携帯電話機の外観斜視図である。
【図２】本発明の実施形態に係る携帯電話機の機能を示すブロック図である。
【図３】本発明の実施形態に係る電源起動時の処理を示すフローチャートである。
【図４】本発明の実施形態に係るハンドオフ時の処理を示すフローチャートである。
【図５】本発明の実施形態に係る着信時の処理を示すフローチャートである。
【発明を実施するための形態】
【００１９】
以下、本発明の実施形態の一例について説明する。なお、本実施形態では、無線端末装置の一例として、携帯電話機１を説明する。
【００２０】
図１は、本実施形態に係る携帯電話機１の外観斜視図である。
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２１】
また、表示部側筐体３は、表面部２０に、各種情報を表示するための表示部２１と、通話の相手側の音声を出力するレシーバ２２と、を備えて構成されている。
【００２２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２３】
図２は、本実施形態に係る携帯電話機１の機能を示すブロック図である。携帯電話機１は、操作部１１と、表示部２１と、制御部３０と、通信部４０と、アンテナ４１と、記憶部５０と、音声制御部６０と、を備える。
【００２４】
制御部３０は、携帯電話機１の全体を制御しており、例えば、表示部２１、通信部４０、音声制御部６０等に対して所定の制御を行う。また、制御部３０は、操作部１１等から入力を受け付けて、各種処理を実行する。そして、制御部３０は、処理実行の際には、記憶部５０を制御し、各種プログラム及びデータの読み出し、並びにデータの書き込みを行う。なお、本実施形態に係る制御部３０の詳細機能は後述する。
【００２５】
通信部４０は、所定の使用周波数帯（例えば、２ＧＨｚ帯や８００ＭＨｚ帯等）で外部装置（基地局）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００２６】
ここで、通信部４０は、この例においては、音声及びデータ通信用の通信プロトコルであるＣＤＭＡ２０００＿１ｘ（以下、ＣＤＭＡという）方式と、主に高速データ通信に用いられる通信プロトコルであるＬＴＥ方式との双方に対応しており、いずれのプロトコルの通信システムでも通信可能である。通信部４０は、制御部３０からの指令に基づいて、いずれかのプロトコルにより基地局と通信を行う。なお、携帯電話機１は、データ通信的にはＬＴＥによる通信を優先し、音声通話時には、ＣＤＭＡによる通信へ切り替えるものとする。
【００２７】
記憶部５０は、例えば、ワーキングメモリを含み、制御部３０による演算処理に利用される。また、本実施形態に係る各種プログラム等を記憶する。さらに、記憶部５０は、通信システム内において使用され、基地局から通知される基準時間情報であるシステムタイムを記憶する。制御部３０は、このシステムタイムを用いて基地局と時間的同期をとり、通信を確立させる。
【００２８】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナ４１より出力する。
【００２９】
次に制御部３０の機能を詳述する。
制御部３０は、判定部３１と、取得部３２と、算出部３３と、移行部３４と、を備える。
【００３０】
判定部３１は、ＣＳ  Ｆａｌｌｂａｃｋ機能によって、ＬＴＥの通信システム（第１通信システム）においてＣＤＭＡの通信システム（第２通信システム）での着信が報知された際に、第２通信システムのシステムタイムが通知されたか否かを判定する。
【００３１】
ここで、ＣＳ  Ｆａｌｌｂａｃｋ機能とは、ＬＴＥ網とＣＤＭＡ網との物理的エリアが重複している地域において、ＬＴＥ網とＣＤＭＡ網との間を跨いだ着信通知サービスの一つである。
具体的には、このＣＳ  Ｆａｌｌｂａｃｋ機能は、ＬＴＥ網に位置登録している携帯電話機１に対する着信発生をＬＴＥ網で通知し、この通知を受けた携帯電話機１は、ＣＤＭＡ網に移行して音声通話を行う、という技術である。この技術では、本来、音声通話をサービスするＣＤＭＡ網での着信呼び出しであっても、ＣＤＭＡ網の呼び出しのゾーンとＬＴＥ網の呼び出しのゾーンとの間の連携を網側の管理装置によって行う。これにより、携帯電話機１は、ＣＤＭＡ網又はＬＴＥ網の一方で位置登録することで、あたかもＣＤＭＡ網とＬＴＥ網との双方で位置登録しているかのように動作できる。
【００３２】
取得部３２は、第１通信システム（ＬＴＥ）で通信を行う場合、第１通信システム（ＬＴＥ）の起動に先立って、第２通信システム（ＣＤＭＡ）に同期して第２通信システム（ＣＤＭＡ）のシステムタイムを取得する。
【００３３】
具体的には、取得部３２は、携帯電話機１の電源起動時に、第２通信システム（ＣＤＭＡ）と同期しつつ、第２通信システム（ＣＤＭＡ）のシステムタイムを取得する。また、取得部３２は、第１通信システム（ＬＴＥ）のハンドオフが生じた場合、この第１通信システム（ＬＴＥ）を一旦サスペンドした後、第２通信システム（ＣＤＭＡ）をサーチし、捕捉した第２通信システム（ＣＤＭＡ）に同期してシステムタイムを取得する。
【００３４】
このとき、取得部３２は、第２通信システム（ＣＤＭＡ）の基地局から報知される同期（ｓｙｎｃ）チャネル上の同期用のメッセージに基づいて、この第２通信システム（ＣＤＭＡ）のシステムタイムを算出する。
【００３５】
算出部３３は、第２通信システム（ＣＤＭＡ）のシステムタイムを取得後、第１通信システム（ＬＴＥ）を起動すると、この第１通信システム（ＬＴＥ）と同期して取得したシステムタイムと、取得部３２により取得された第２通信システム（ＣＤＭＡ）のシステムタイムとの差分を算出する。算出された差分は、記憶部５０に記憶される。
【００３６】
移行部３４は、第１通信システム（ＬＴＥ）が起動中に、ＣＳ  Ｆａｌｌｂａｃｋ機能により第２通信システム（ＣＤＭＡ）での着信が報知されたために、第１通信システム（ＬＴＥ）での通信から第２通信システム（ＣＤＭＡ）での通信に移行する場合、まず、判定部３１の判定結果を参照する。
【００３７】
移行部３４は、第２通信システム（ＣＤＭＡ）のシステムタイムが通知されたと判定部３１により判定された場合、この通知されたシステムタイムに基づいて第２通信システム（ＣＤＭＡ）に同期する。
一方、第２通信システム（ＣＤＭＡ）のシステムタイムが通知されなかったと判定部３１により判定された場合、移行部３４は、起動中の第１通信システム（ＬＴＥ）のシステムタイムと算出部３３により算出された差分とにより、第２通信システム（ＣＤＭＡ）のシステムタイムを算出する。そして、移行部３４は、この算出されたシステムタイムに基づいて、音声通話を行う第２通信システム（ＣＤＭＡ）に同期する。
【００３８】
ここで、移行部３４は、第２通信システム（ＣＤＭＡ）の着信が報知された場合に、算出部３３により算出されたシステムタイムにより、この第２通信システム（ＣＤＭＡ）におけるページングチャネルのオーバーヘッドメッセージを取得できたとき、第２通信システム（ＣＤＭＡ）での通信に移行する。一方、オーバーヘッドメッセージを取得できなかったとき、移行部３４は、移行先の第２通信システム（ＣＤＭＡ）をサーチする。
【００３９】
図３は、本実施形態に係る携帯電話機１における電源起動時の処理を示すフローチャートである。
【００４０】
ステップＳ１において、携帯電話機１の電源がＯＮになると、制御部３０は、所定の起動処理を実行し、基地局の捕捉及び位置登録の処理を開始する。
【００４１】
ステップＳ２において、制御部３０は、第２通信システム（ＣＤＭＡ）をサーチし、パイロットチャネルを捕捉する。
【００４２】
ステップＳ３において、制御部３０は、第２通信システム（ＣＤＭＡ）と符号同期してｓｙｎｃチャネルを受信し、システムタイムを取得する。
【００４３】
ステップＳ４において、制御部３０は、ステップＳ３で取得した第２通信システム（ＣＤＭＡ）のシステムタイムを記憶部５０に記憶する。
【００４４】
ステップＳ５において、制御部３０は、ステップＳ３で取得したシステムタイムに基づいて第２通信システム（ＣＤＭＡ）と時間同期する。そして、制御部３０は、周辺チャネルや基地局位置等を取得するため、さらに、次回に同じ第２通信システム（ＣＤＭＡ）との通信を確立するための情報（周波数チャネル、ＰＮ情報等）を取得するために、ページングチャネルのオーバーヘッドメッセージを受信する。
【００４５】
ステップＳ６において、制御部３０は、第２通信システム（ＣＤＭＡ）よりも優先される第１通信システム（ＬＴＥ）を起動させるために、第２通信システム（ＣＤＭＡ）をサスペンドする。
【００４６】
ステップＳ７において、制御部３０は、第１通信システム（ＬＴＥ）を起動し、同期処理を開始する。
【００４７】
ステップＳ８において、制御部３０は、同期した第１通信システム（ＬＴＥ）のシステムタイムを取得する。
【００４８】
ステップＳ９において、制御部３０は、ステップＳ８で取得した第１通信システム（ＬＴＥ）のシステムタイムと、ステップＳ３で取得した第２通信システム（ＣＤＭＡ）のシステムタイムとの差分を算出し、記憶部５０に記憶する。
【００４９】
ステップＳ１０において、制御部３０は、第１通信システム（ＬＴＥ）において着信待ち受け状態となり、ＬＴＥでのデータ通信が可能となると共に、ＣＳ  Ｆａｌｌｂａｃｋ機能による第２通信システム（ＣＤＭＡ）の着信報知の受信が可能となる。
【００５０】
図４は、本実施形態に係る携帯電話機１におけるハンドオフ時の処理を示すフローチャートである。
【００５１】
ステップＳ１１において、制御部３０は、基地局からの電波状況の変化に基づいて、第１通信システム（ＬＴＥ）のエリアを変更するハンドオフを実行する。
【００５２】
ステップＳ１２において、制御部３０は、ハンドオフ先の第１通信システム（ＬＴＥ）のシステムタイムを取得し、記憶部５０に記憶する。さらに、制御部３０は、ハンドオフ先の第１通信システム（ＬＴＥ）から、近隣に存在する第２通信システム（ＣＤＭＡ）の周波数及びＰＮ情報を取得してもよい。
【００５３】
ステップＳ１３において、制御部３０は、第２通信システム（ＣＤＭＡ）を捕捉するために、一旦、第１通信システム（ＬＴＥ）をサスペンドする。
【００５４】
ステップＳ１４において、制御部３０は、第２通信システム（ＣＤＭＡ）をサーチし、パイロットチャネルを捕捉する。なお、制御部３０は、ステップＳ１２において第２通信システム（ＣＤＭＡ）の周波数及びＰＮ情報を取得していた場合には、この情報にサーチ対象を限定することにより、短時間でサーチできる。
【００５５】
ステップＳ１５において、制御部３０は、第２通信システム（ＣＤＭＡ）と符号同期してｓｙｎｃチャネルを受信し、システムタイムを取得する。
【００５６】
ステップＳ１６において、制御部３０は、ステップＳ１５で取得した第２通信システム（ＣＤＭＡ）のシステムタイムを記憶部５０に記憶する。
【００５７】
ステップＳ１７において、制御部３０は、ステップＳ１５で取得したシステムタイムに基づいて第２通信システム（ＣＤＭＡ）と時間同期し、次回に同じ第２通信システム（ＣＤＭＡ）と通信を確立するための情報（周波数チャネル、ＰＮ情報等）を取得するために、ページングチャネルのオーバーヘッドメッセージを受信する。
【００５８】
ステップＳ１８において、制御部３０は、ステップＳ１２で取得した第１通信システム（ＬＴＥ）のシステムタイムと、ステップＳ１５で取得した第２通信システム（ＣＤＭＡ）のシステムタイムとの差分を算出し、記憶部５０に記憶する。
【００５９】
ステップＳ１９において、制御部３０は、ステップＳ１３でサスペンドした第１通信システム（ＬＴＥ）を起動させるために、第２通信システム（ＣＤＭＡ）をサスペンドする。
【００６０】
ステップＳ２０において、制御部３０は、第１通信システム（ＬＴＥ）を起動して着信待ち受け状態となり、ＬＴＥでのデータ通信が可能となると共に、ＣＳ  Ｆａｌｌｂａｃｋ機能による第２通信システム（ＣＤＭＡ）の着信報知の受信が可能となる。
【００６１】
なお、本処理において、システムタイムの差分の算出（ステップＳ１８）は、第１通信システム（ＬＴＥ）を起動（ステップＳ２０）した後に取得したシステムタイムを用いてもよい。
【００６２】
図５は、本実施形態に係る携帯電話機１における着信時の処理を示すフローチャートである。
【００６３】
ステップＳ２１において、制御部３０は、ＣＳ  Ｆａｌｌｂａｃｋ機能により、第２通信システム（ＣＤＭＡ）の着信通知メッセージを受信する。
【００６４】
ステップＳ２２において、制御部３０は、ステップＳ２１で受信した着信通知に対して、第１通信システム（ＬＴＥ）により応答した後、通話処理を開始するために第２通信システム（ＣＤＭＡ）を起動させる。
【００６５】
ステップＳ２３において、制御部３０は、第１通信システム（ＬＴＥ）のシステムタイムに補正値を加えて、第２通信システム（ＣＤＭＡ）のシステムタイムを算出する。
【００６６】
ステップＳ２４において、制御部３０は、ステップＳ２３で算出したシステムタイムを用いて、第２通信システム（ＣＤＭＡ）と同期をとり、ページングチャネルの受信を試みる。
【００６７】
ステップＳ２５において、制御部３０は、第２通信システム（ＣＤＭＡ）において、ページングチャネルのオーバーヘッドメッセージを受信できたか否かを判定する。制御部３０は、この判定がＹＥＳの場合、処理をステップＳ２６に移し、判定がＮＯの場合、処理をステップＳ２７に移す。
【００６８】
ステップＳ２６において、制御部３０は、第２通信システム（ＣＤＭＡ）においてトラフィックチャネルに移行し、通話処理を実行する。
【００６９】
ステップＳ２７において、制御部３０は、ステップＳ２３で算出したシステムタイムによって第２通信システム（ＣＤＭＡ）との時間同期に失敗したので、通信可能な第２通信システム（ＣＤＭＡ）のサーチを実施する。
【００７０】
ステップＳ２８において、制御部３０は、捕捉した第２通信システム（ＣＤＭＡ）のｓｙｎｃチャネルを受信し、システムタイムを取得する。そして、制御部３０は、処理をステップＳ２４に戻し、改めてページングチャネルの受信を試みる。
【００７１】
以上のように、本実施形態によれば、携帯電話機１は、ＬＴＥのシステムタイムとＣＤＭＡのシステムタイムとの差分を算出して記憶しておく。これにより、携帯電話機１は、ＬＴＥの通信システムにおいてＣＤＭＡの通信システムの着信が報知された場合に、ＬＴＥのシステムタイムと記憶している差分とに基づいて、ＣＤＭＡのシステムタイムを算出できる。その結果、携帯電話機１は、ＬＴＥでの通信からＣＤＭＡでの通信に移行する際に、サーチ及び同期の処理を削減し、ＣＤＭＡの起動にかかる時間を短縮できる。
なお、ＣＤＭＡでの通信への移行は、着信には限られず、発信要求を受けた場合も同様である。
【００７２】
また、携帯電話機１は、ＬＴＥの通信システムにおいて、ＣＤＭＡの通信システムのシステムタイムが通知されたか否かを判定するので、通知されない場合にのみシステムタイムを算出して、通知される場合には処理負荷を低減できる。
【００７３】
また、携帯電話機１は、算出したＣＤＭＡのシステムタイムにより、ＣＤＭＡの通信システムにおけるオーバーヘッドメッセージを取得できれば通信に移行し、取得できなかった場合には移行先をサーチするので、より確実にＣＤＭＡの通信システムへ移行できる。
【００７４】
また、携帯電話機１は、電源起動時、及びハンドオフが生じた場合にＣＤＭＡの通信システムをサーチしてＣＤＭＡのシステムタイムを取得する。したがって、携帯電話機１は、システムタイム変動する可能性のあるタイミングに限定して差分を算出するので、特定の周期ごとにＣＤＭＡを起動することなく処理負荷及び消費電力が低減される。
【００７５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７６】
前述の実施形態におけるＣＤＭＡ２０００＿１ｘ方式及びＬＴＥ方式は一例に過ぎず、他の通信プロトコルであってもよい。例えば、Ｗ−ＣＤＭＡ方式とＬＴＥ方式であっても同様である。
【００７７】
また、本発明に係る無線端末装置は、携帯電話機１には限られず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）の他、ゲーム機、ナビゲーション装置、パーソナルコンピュータ等、様々な端末装置に適用可能である。
【符号の説明】
【００７８】
１  携帯電話機（無線端末装置）
１１  操作部
２１  表示部
３０  制御部
３１  判定部
３２  取得部
３３  算出部
３４  移行部
４０  通信部
４１  アンテナ
５０  記憶部
６０  音声制御部
【図１】
2011259073.tif 000003
【図２】
2011259073.tif 000004
【図３】
2011259073.tif 000005
【図４】
2011259073.tif 000006
【図５】
2011259073.tif 000007